(57)【特許請求の範囲】
【請求項１】
銃の発射弾数を計数するようにした銃の発射弾数計数装置において、銃身の先端部の下側部分に嵌合可能な嵌合凹部を有する銃身嵌合部と、銃身嵌合部から後方かつ下方へ延びているフレーム装着部と、銃身嵌合部の下側に一体に設けられている装着板とを備え、銃身嵌合部の側面に検出用部材を張出状に設けた装着具が銃のフレームに着脱可能に固着され、前記検出用部材には、前面に前方に向けて拡開する検出凹部とその検出凹部の奥部に連続するセンサ取付孔が形成され、そのセンサ取付孔に歪センサが固着され、弾丸の発射によって銃口部の圧力変化に伴う検出凹部の奥部の圧力変化を歪センサの歪量として検出し、その歪量と歪時間から銃の弾丸発射を判断して計数可能な計数器を前記装着板の下面に着脱可能に取着していることを特徴とする銃の発射弾数計数装置。
【発明の詳細な説明】
【技術分野】
【０００１】
この発明は、銃の発射弾数を計数するようにした銃の発射弾数計数装置に係るものである。
【背景技術】
【０００２】
銃における発射弾数の計数装置として、従来、特許文献１〜７のものが提案されている。特許文献１には、発射ガスを空隙部に導入して空隙部内でピストンを往復運動させ、その往復運動の回数を機械的、または、電気的に表示するものが記載され、既成の銃先端に取り付ける形態として、銃口を囲むように取り付けたアタッチメントから長いパイプを引き出して発射ガスを木被部のカウンタまで導くものが開示されている。 
【０００３】
特許文献２、５には、射手の手元または銃本体に発射弾丸の衝撃波や発射音等から弾丸発射を認知する発射弾数カウンタを装着し、発射弾丸の衝撃波や発射音等から発射弾数を計数するものが開示されている。特許文献３には、銃身に加速度センサと音波センサを取付け、両センサにケーブルを介してモニタを接続し、射撃時の銃の振動と銃弾の射撃音から発射弾数を計数するものが開示されている。
特許文献４には、小火器の銃本体に加速度センサとメモリ等を装着し、実弾発射の衝撃加速度を計測分析して発射弾数を計数するものが開示されている。特許文献６、７には、銃本体に銃身内の圧力変化を検出するセンサを取付け、発射ガス圧の変化によって発射弾数を計数するものが開示されている。
【０００４】
上記特許文献１に記載の装置では、長いパイプで発射ガスをカウンタまで導くので、圧力低下の恐れがあって、カウンタ動作が正確に行なわれない懸念があり、しかも、銃身に孔加工を要したり銃身に銃口を囲んで銃口より前に出るアタッチメントを装着する必要があり、銃の命中精度や操作性を悪くする問題がある。
特許文献２、５に記載の装置では、射撃条件の影響を受け易く、かつ、ノイズとして検出されやすい物理量である発射弾丸の衝撃波や発射音等から発射弾数を計数するので、発射弾数の検出が不確実になり易い問題があり、特許文献３、４に記載の装置でも、同様な物理量である銃の振動と銃弾の射撃音から発射弾数を計数したり銃本体の衝撃加速度から発射弾数を計数しているので、発射弾数の検出が不確実になり易い問題がある。
特許文献６、７に記載の装置では、銃本体に銃身内の発射ガス圧の変化によって発射弾数を計数するようにしているので、銃身にガス漏れ孔を有する銃に制限され、そのガス漏れ孔を有しない銃に対しては別にガス漏れ孔を加工する必要があるが、銃の命中精度を悪くしたりコスト高を招く問題がある。
【特許文献１】実開昭５５−１６２８００号公報
【特許文献２】特開平８−１５２２９８号公報
【特許文献３】特開平１０−８９８９４号公報
【特許文献４】特開２００２−２７７１９３号公報
【特許文献５】特開２００５−１５６０１２号公報
【特許文献６】特開２００５−２２６８４３号公報
【特許文献７】特開２００６−７８１４８号公報
【発明の開示】
【発明が解決しようとする課題】
【０００５】
この発明は、弾丸の発射による銃口部分の圧力変化を検出することで発射弾数を正確に計数できるようにした簡易な構成の銃の発射弾数計数装置を提供することを目的とする。
【課題を解決するための手段】
【０００６】
本願の請求項１の発明は、前記課題を解決するために、銃の発射弾数を計数するようにした銃の発射弾数計数装置において、銃身の先端部の下側部分に嵌合可能な嵌合凹部を有する銃身嵌合部と、銃身嵌合部から後方かつ下方へ延びているフレーム装着部と、銃身嵌合部の下側に一体に設けられている装着板とを備え、銃身嵌合部の側面に検出用部材を張出状に設けた装着具が銃のフレームに着脱可能に固着され、前記検出用部材には、前面に前方に向けて拡開する検出凹部とその検出凹部の奥部に連続するセンサ取付孔が形成され、そのセンサ取付孔に歪センサが固着され、弾丸の発射によって銃口部の圧力変化に伴う検出凹部の奥部の圧力変化を歪センサの歪量として検出し、その歪量と歪時間から銃の弾丸発射を判断して計数可能な計数器を前記装着板の下面に着脱可能に取着していることを特徴とする。
【発明の効果】
【０００８】
本願の請求項１の発明は、銃身の先端部の下側部分に嵌合可能な嵌合凹部を有する銃身嵌合部と、銃身嵌合部から後方かつ下方へ延びているフレーム装着部と、銃身嵌合部の下側に一体に設けられている装着板とを備え、銃身嵌合部の側面に検出用部材を張出状に設けた装着具が銃のフレームに着脱可能に固着され、前記検出用部材には、前面に前方に向けて拡開する検出凹部とその検出凹部の奥部に連続するセンサ取付孔が形成され、そのセンサ取付孔に歪センサが固着され、弾丸の発射によって銃口部の圧力変化に伴う検出凹部の奥部の圧力変化を歪センサの歪量として検出し、その歪量と歪時間から銃の弾丸発射を判断して計数可能な計数器を前記装着板の下面に着脱可能に取着しているので、銃口部分の弾丸発射ガスによる圧力変化を検出用部材に設けた歪センサによって歪量と歪時間の波形データとして正確に検出でき、複数の銃によって接近した状態で弾丸発射する場合でも各銃の弾丸発射を正確に判別できて発射弾数を確実に計数できる。また、銃の銃口近傍に前方に向けて開口する検出凹部を備えた検出用部材を取着すると共にその歪センサに連結される計数器を銃に取着することで銃の発射弾数を計数でき、種々の銃に簡易迅速に組付けることができる簡易な構成にできる利点がある。また、銃身に銃口部分の圧力変化を検出するための検出用部材と計数器を取着することで済むので、銃身が長くなるのを防止でき、銃の操作性を良好に維持できる。
【発明を実施するための最良の形態】
【００１０】
次に、本発明を自動拳銃に実施した実施形態について図面に基づいて説明する。
図１は、発射弾数計数装置を備えた自動拳銃１の概略を示すもので、引金３や引金ガード３aを備えたフレーム４にグリップ部２と銃身５が組み付けられている。グリップ部２には図示しない弾倉が着脱可能に内蔵され、安全装置のロックを外して引金３を引くと銃身５の銃口から弾丸が発射されるようになっている。銃身５の銃口部は、弾丸の発射によって発射ガスが噴出し、銃口部の圧力が銃口を中心として瞬時に高圧になる。
前記自動拳銃１には、発射弾数を計数可能な発射弾数計数装置８が装備されている。この発射弾数計数装置８は、自動拳銃１の銃口部の近傍に固着され、銃口側である前方に向けて開口する検出凹部１３aを有する検出用部材１３と、検出用部材１３に自体の検出部１６aが検出凹部１３aの奥部に位置するように設けられ、弾丸発射ガスによる銃口部の圧力変化を歪量と歪時間の波形データとして検出可能な歪センサ１６と、フレーム４に固着され、歪センサ１６に連結されて歪センサ１６の歪量と歪時間から弾丸発射を判別して発射弾数を計数して記憶可能な計数器２０（カウンタとも称される）と、自動拳銃１に装着せずに射手（銃操作者）等が携行する可搬式の表示器３０と、同じく自動拳銃１に装着せずに所定個所に設置されている操作器４０とを備えている。
【００１１】
検出用部材１３は、フレーム４に着脱可能に固着されている装着具１２に一体に設けられている。装着具１２は、銃身５の先端部の下側部分を嵌合可能な嵌合凹部９ａを有する銃身嵌合部９と、銃身嵌合部９から後方かつ下方へ延びているフレーム装着部１０と、銃身嵌合部９の下側に一体に設けられている装着板１１とを備え、銃身嵌合部９の側面に検出用部材１３が張出状に設けられている。フレーム装着部１０は、引金ガード３ａの前面に当て付ける取着腕１０ａと、引金ガード３ａの後面に当て付ける取着片１０ｂと、取着片１０ｂを取着腕１０ａに引金ガード３ａを挟持した状態で締付ける締付ねじ１０ｃとで構成され、引金ガード３ａに固着されることで銃身嵌合部９の嵌合凹部９ａが銃身５に押圧嵌合されて検出用部材１３が銃身に一体化されている。
検出用部材１３は、銃身嵌合部９の先端部側面に前面が銃身嵌合部９先端面と同一面になるように設けられ、銃身５の銃口から前方に突出しないように位置されている。検出用部材１３には、前面に前方に向けてラッパ状に拡開する検出凹部１３ａとその検出凹部１３ａの奥部に連続するセンサ取付孔１３ｂが形成されている。
歪センサ１６は、その検出部１６ａが検出凹部１３ａの奥部に位置するように検出用部材１３のセンサ取付孔１３ｂに挿入されて検出用部材１３に固着され、銃口部の圧力変化に伴う検出凹部１３ａの奥部の圧力変化を歪量の変化に変換し、図４に示すような歪量と歪時間の波形データとして検出するようになっている。
【００１２】
計数器２０は、装着具１２の装着板１１の下面に着脱可能に取着されている。計数器２０は、直方体形状のケース２１内に歪センサ１６の歪量と歪時間によって銃の弾丸の発射弾数を判別して計数するようにしたマイコン２２を搭載した基板２３が緩衝材２４を介して内蔵されると共に、基板２３上に設置した電源としてのバッテリ２５が内蔵され、かつ、点灯、消灯、点滅によって現在の計数器の正常、異常、通信状態を表示する発光体として例示する緑色と赤色の一対の発光ダイオード２６が基板２３上に具備されて構成されている。赤色と緑色の発光ダイオード２６が点灯、消灯、点滅によって表示する計数器２０の状態は、例えば、正常の場合、緑色点滅、赤色消灯、異常（故障や未接続）の場合、緑色点滅、赤色点灯、設定弾数到達告知の場合、緑色点滅、赤色点滅、電池残量不足の場合、緑色点滅、赤色早い点滅、充電・通信中の場合、緑色点灯、赤色点灯、充電完了の場合、緑色点灯、赤色消灯となっているが、任意に変更しても良い。発光体としては液晶を利用しても良い。電源としてはバッテリ２５に代えて電池を用いても良いし、充電式の太陽電池を利用しても良い。基板２３やバッテリ２５や発光ダイオード２６は緩衝材２４によって外部から加わる熱と衝撃から保護されている。また、計数器２０は、信号伝達用の着脱可能なコネクタ２７を備えており、後述の可搬式の表示器に備えたコネクタや操作器に備えたコネクタを簡易迅速に連結、離脱できるようにしてある。計数器２０のマイコン２２は、歪センサ１６にコード２８を介して電気的に接続され、歪センサ１６が検出した歪量と歪時間をマイコン２２に入力するようになっている。マイコン２２は、歪センサ１６から図５の符号Ａで示す歪量と歪時間の波形データによって、その歪量が銃の弾丸発射による基準値Ｓ以上か否かとその歪量が生じている時間Ｈが銃の弾丸発射による基準値Ｔ（自動拳銃の場合、例えば０．００５〜０．０１秒程度）以内か否かとの組み合わせによって銃の弾丸発射か否かを判別し、歪量が銃の弾丸発射による基準値Ｓ以上でかつその歪量が生じている時間Ｈが銃の弾丸発射による基準値Ｔ以内のときに弾丸の発射弾数として計数するようになっている。
【００１３】
表示器３０は、計数器２０の軽量小型化を図るために、計数器２０とは別体の可搬式に構成されている。表示器３０は、ポケットに収納できる手のひら程度のケース３１内に表示体３２を内蔵すると共に信号伝達用の着脱可能なコネクタ３３を設けて構成されている。この表示器３０は、コネクタ３３を計数器２０のコネクタ２７に連結することで、計数器２０のマイコン２２が計数して記憶している弾丸の発射弾数を読み出して表示体３２で表示するようにしてある。
操作器４０は、表示器３０と同様に、計数器２０の軽量小型化を図るために、計数器２０とは別体に構成されている。操作器４０は、市販のパソコン４５にコネクタ４３を備えることによって構成されているが、表示器３０と同様に、ポケットに収納できる手のひら程度のケース内に操作部材を内蔵すると共に信号伝達用の着脱可能なコネクタを設けて構成しても良い。この操作器４０は、コネクタ４３を計数器２０のコネクタ２７に連結することで、計数器２０のマイコン２２が計数して記憶している弾丸の発射弾数のデータを任意に変更できるようにしてある。
【００１４】
次に、自動拳銃１の弾丸の発射弾数を発射弾数計数装置８によって計数する場合の作用について説明する。
先ず、自動拳銃１の弾丸を発射させる前に、計数器２０の発光ダイオード２６を見て緑色の発光ダイオード２６が点滅し、赤色の発光ダイオード２６が消灯していることを点検し、計数器２０が正常に機能していることを確認する。
この状態で、自動拳銃１の弾丸を発射させると、弾丸の発射ガス圧によって銃身５の銃口部の圧力が瞬時に一時的に高圧に変化する。銃口部の圧力変化は銃口を中心にして行なわれるので、銃口の近傍に位置されている検出凹部１３ａの奥部も同様に圧力変化し、その圧力変化を歪センサ１６の検出部１６ａが歪量の変化に変換して検出し、図４の符号Ａに示すような歪量と歪時間の波形として即ち時間軸に対する歪量の変化の波形データとして検出して出力する。
歪センサ１６が検出した歪量の変化のデータは計数器２０のマイコン２２に入力される。マイコン２２は、歪センサ１６から入力された図４の符号Ａに示す歪量と歪時間の波形データによって、その歪量が銃の弾丸発射による基準値Ｓ以上か否かとその歪量が生じている時間Ｈが銃の弾丸発射による基準値Ｔ以内か否かとの組み合わせによって銃の弾丸発射か否かを判別し、歪量が銃の弾丸発射による基準値Ｓ以上でかつその歪量が生じている時間Ｈが銃の弾丸発射による基準値Ｔ以内のときに弾丸の発射であると判断して発射弾数を計数し、マイコン２２に発射弾数「１」を記憶する。以上のような発射弾数の計数を自動拳銃１の弾丸発射毎に計数してその発射弾数の累計値をマイコン２２に記憶する。
【００１５】
上記のようにして自動拳銃１の弾丸の発射弾数を計数している場合、近接位置で他の自動拳銃によって弾丸が発射されると、その別の自動拳銃の銃口に生じる圧力変化によって検出凹部１３ａの奥部の圧力も変化し、その圧力変化を歪センサ１６の検出部１６ａが検出して出力する。ところが、この場合の検出凹部１３ａでの圧力変化は、別の自動拳銃の銃口が検出凹部１３ａから比較的離れているので、図４の符号Ｃで示すように自動拳銃１自体の弾丸発射による圧力変化に比べて僅かしか圧力変化しないので、歪センサ１６の歪量が基準値Ｓ以下となり、マイコン２２は、歪量が銃の弾丸発射による基準値Ｓ以下であるので、歪量が生じている時間が基準値Ｔ以内であってもその自動拳銃１の弾丸の発射弾数とは計数しない。
また、自動拳銃１を落下させて銃に大きな衝撃が加わり、その結果歪センサ１６にノイズが発生し、歪センサ１６が図４の符号Ｂで示すような歪量と歪時間の波形データを出力する恐れがある。ところが、この場合の出力は、図４の符号Ｂで示すように弾丸発射による波形や作用時間とはまったく異なるので、マイコン２２は、歪量が生じている時間ｈが銃の弾丸発射による基準値Ｔ以外なので、仮に歪量が基準値Ｓ以上であってもそのノイズを弾丸発射とは判断しないで発射弾数として計数しない。以上のように自動拳銃１の弾丸発射による銃口部の圧力変化を歪センサ１６で歪量と歪時間として検出し、歪量と歪時間の波形データによってその銃口部の圧力変化が弾丸発射によるものか否かを判別して弾丸の発射弾数を計数するので、近接位置での別の拳銃の弾丸発射や銃落下による誤作動をなくすことができ、自動拳銃１の弾丸の発射弾数を正確に計数することができる。この実施態様では、表示器と操作器を計数器と別体に設けているが、表示器と操作器を小型にして表示器と操作器を計数器に組み込んでも良いし、表示器と操作器を銃本体に組み付けて計数器に電気的に連結させても良い。
【００１７】
なお、本願発明では、表示器と操作器を一体に設けても良い。また、計数器に電源をＯＮ、ＯＦＦするスイッチを設けても良いが、電源を入れる操作を忘れる恐れがあるので、銃に計数器に電源をＯＮにしないと引き金操作できないような安全装置を設けたり、既設の安全装置と連携させることが好ましい。また、前記実施態様では、マイコンによって弾丸発射によるものか否かを判別するとき、歪量が生じている時間が基準値Ｔ以下と設定しているが、歪量が生じている時間が所定の基準値間にある場合に設定しても良く、このように設定することで発射弾数をより正確に計数できる。
【図面の簡単な説明】
【００１８】
【図１】本発明を自動拳銃に実施した実施態様を示す自動拳銃の斜視図である。
【図２】図１の自動拳銃の側面図である。
【図３】図１の分解斜視図である。
【図４】本発明の作用を説明する歪量と歪時間の波形データを示すグラフである。
【符号の説明】
【００１９】
１      自動拳銃（銃）
４      フレーム
５      銃身
８      発射弾数計数装置
１３    検出用部材
１３a   検出凹部
１６    歪センサ
１６a   検出部
２０    計数器
２２    マイコン
２５    バッテリ（電源）
２６    発光ダイオード（発光体）
２７    コネクタ
３０    表示器
３３    コネクタ
４０    操作器
４３    コネクタ
５０    小銃（銃）
【図１】
0004923749.tif 000002
【図２】
0004923749.tif 000003
【図３】
0004923749.tif 000004
【図４】
0004923749.tif 000005